(57)【特許請求の範囲】
【請求項１】
音声認識の対象とする語句が表す対象物の情報である対象物情報を登録した対象物情報テーブルと、
前記音声認識の対象とする各語句のヨミを、当該語句が表す対象物の、前記対象物情報テーブル上の対象物情報を識別するための識別情報と共に登録したヨミ辞書とより構成される音声認識辞書を更新するための更新データの作成方法であって、
前記音声認識辞書の更新を行う際に、今回新たに音声認識の対象に加えた語句が表す対象物の前記対象物情報を登録した対象物情報テーブルを作成し、今回の更新に用いる前記更新データに含めるステップと、
前記音声認識辞書の更新を行う際に、今回の更新後の音声認識辞書で音声認識の対象とする、今回新たに音声認識の対象に加えた語句を含む各語句のヨミを、当該語句が表す対象物の対象物情報が今回作成した前記対象物情報テーブルに登録されているヨミについては、当該今回作成した前記対象物情報テーブル上の当該語句が表す対象物の対象物情報を識別するための識別情報と共に登録し、当該語句が表す対象物の対象物情報が過去に作成した前記対象物情報テーブルに登録されているヨミについては、当該過去に作成した前記対象物情報テーブル上の当該語句が表す対象物の対象物情報を識別するための識別情報と共に登録したヨミ辞書を作成し、今回の更新に用いる前記更新データに含めるステップとを有することを特徴とする音声認識辞書の更新データ作成方法。
【請求項２】
請求項１記載の音声認識辞書の更新データ作成方法であって、
前記音声認識の対象とする語句は、地名または施設の名称であって、前記対象物情報は、少なくとも音声認識の対象とする語句が表す地名または施設の位置情報を含むことを特徴とする音声認識辞書の更新データ作成方法。
【請求項３】
記憶装置に記憶している音声認識辞書を用いて音声認識を行う音声認識装置において、前記記憶装置に記憶している音声認識辞書を、請求項１または２記載の音声認識辞書の更新データ作成方法によって作成された更新データを用いて更新する音声認識辞書更新方法であって、
前記更新データに含まれるヨミ辞書で、前記記憶装置に記憶されている更新前のヨミ辞書を置き換えるステップと、
前記更新データに含まれる対象物情報テーブルを、前記記憶装置に記憶されている対象物情報テーブルを維持したまま、前記記憶装置に追加的に記憶するステップとを有することを特徴とする音声認識辞書の更新方法。
【請求項４】
請求項３記載の音声認識辞書の更新方法であって、
前記音声認識装置は、前記記憶装置に記憶している音声認識辞書のヨミ辞書を用いて、入力する音声が表すヨミを識別し、識別したヨミと共にヨミ辞書に登録されている識別情報が示す、前記記憶装置に記憶されている、いずれかの対象物情報テーブルの対象物情報を出力することを特徴とする音声認識辞書の更新方法。
【請求項５】
音声認識装置が音声認識に用いる音声認識辞書を更新する音声認識辞書更新システムであって、
前記音声認識辞書は、音声認識の対象とする語句が表す対象物の情報である対象物情報を登録した対象物情報テーブルと、前記音声認識の対象とする各語句のヨミを、当該語句が表す対象物の、前記対象物情報テーブル上の対象物情報を識別するための識別情報と共に登録したヨミ辞書とより構成され、
当該音声認識辞書更新システムは、
前記音声認識辞書を用いて音声認識を行う音声認識装置と、
前記音声認識辞書の更新に用いる更新データを作成する更新データ作成装置とを有し、
前記更新データ作成装置は、
前記音声認識辞書の更新を行う際に、今回新たに音声認識の対象に加えた語句が表す対象物の情報である対象物情報を登録した対象物情報テーブルを作成すると共に、今回の更新後の音声認識辞書で音声認識の対象とする、今回新たに音声認識の対象に加えた語句を含む各語句のヨミを、当該語句が表す対象物の対象物情報が今回作成した前記対象物情報テーブルに登録されているヨミについては、当該今回作成した前記対象物情報テーブル上の当該語句が表す対象物の対象物情報を識別するための識別情報と共に登録し、当該語句が表す対象物の対象物情報が過去に作成した前記対象物情報テーブルに登録されているヨミについては、当該過去に作成した前記対象物情報テーブル上の当該語句が表す対象物の対象物情報を識別するための識別情報と共に登録したヨミ辞書を作成し、作成した対象物情報テーブルとヨミ辞書とより成る前記更新データを作成する更新データ作成手段を有し、
前記音声認識装置は、
前記音声認識辞書を記憶した記憶装置と、
前記更新データに含まれるヨミ辞書で、前記記憶装置に記憶されている更新前のヨミ辞書を置き換えると共に、前記更新データに含まれる対象物情報テーブルを、前記記憶装置に記憶されている対象物情報テーブルを維持したまま、前記記憶装置に追加的に記憶する音声辞書更新手段と、
前記記憶装置に記憶している音声認識辞書のヨミ辞書を用いて、入力する音声が表すヨミを識別し、識別したヨミと共にヨミ辞書に登録されている識別情報が示す、前記記憶装置に記憶されている、いずれかの対象物情報テーブルの対象物情報を出力する音声認識手段とを有することを特徴とする音声認識辞書の更新システム。
【発明の詳細な説明】
【技術分野】
【０００１】
本発明は、音声認識辞書を更新する技術に関するものである。
【背景技術】
【０００２】
音声認識辞書を更新する技術としては、住所認識用の音声認識辞書を、住所の県-市-町-丁目といった住所の階層に従って階層化した複数の、バージョンを付した部分辞書より構成し、従前の音声認識辞書と最新の音声認識辞書とを各部分辞書毎に比較し、部分辞書や各部分辞書のバージョンが、最新の音声認識辞書と一致するように、各部分辞書毎に従前の音声認識辞書の内容の更新や削除や追加を行う技術が知られている（たとえば、特許文献１）。
【特許文献１】特開2004-13108号公報
【発明の開示】
【発明が解決しようとする課題】
【０００３】
前記特許文献１記載の技術によれば、従前の音声認識辞書の更新の際に部分辞書毎の更新、削除、追加の要否判定および当該要否判定結果に応じた更新、削除、追加の処理が必要となるために、その処理が煩雑となる。また、部分辞書の一部の単語のみを更新する必要がある場合でも、部分辞書の全てを更新する必要があるために、必ずしも、従前の音声認識辞書の更新に必要となるデータのデータ量を充分に削減することができない。
【０００４】
そこで、本発明は、音声認識辞書の更新に必要となるデータのデータ量を、より削減しつつ、簡易に音声認識辞書を更新できるようにすることを課題とする。
【課題を解決するための手段】
【０００５】
前記課題達成のために、本発明は、音声認識の対象とする語句が表す対象物の情報である対象物情報を登録した対象物情報テーブルと、前記音声認識の対象とする各語句のヨミを、当該語句が表す対象物の、前記対象物情報テーブル上の対象物情報を識別するための識別情報と共に登録したヨミ辞書とより構成される音声認識辞書を更新するための更新データの作成方法として、前記音声認識辞書の更新を行う際に、今回新たに音声認識の対象に加えた語句が表す対象物の前記対象物情報を登録した対象物情報テーブルを作成し、今回の更新に用いる前記更新データに含めるステップと、前記音声認識辞書の更新を行う際に、今回の更新後の音声認識辞書で音声認識の対象とする各語句のヨミを、当該語句が表す対象物の、今回または過去に作成した前記対象物情報テーブル上の対象物情報を識別するための識別情報と共に登録したヨミ辞書を作成し、今回の更新に用いる前記更新データに含めるステップとを有する音声認識辞書の更新データ作成方法を提供する。
【０００６】
ここで、このような音声認識辞書の更新データ作成方法において、前記音声認識の対象とする語句は、地名または施設の名称であって良く、前記対象物情報は、少なくとも音声認識の対象とする語句が表す地名または施設の位置情報を含むものであってよい。
このような音声認識辞書の更新データ作成方法によれば、音声認識辞書の更新に用いる更新データには、対象物情報として、今回新たに音声認識の対象に加えた語句が表す対象物の対象物情報のみを含めれば良い。したがって、更新データのデータ量を小さく抑えることができる。
【０００７】
また、このような音声認識辞書の更新データ作成方法によれば、記憶装置に記憶している音声認識辞書を用いて音声認識を行う音声認識装置における、前記記憶装置に記憶している音声認識辞書の更新は、前記更新データに含まれるヨミ辞書で、前記記憶装置に記憶されている更新前のヨミ辞書を置き換えるステップと、前記更新データに含まれる対象物情報テーブルを、前記記憶装置に記憶されている対象物情報テーブルを維持したまま、前記記憶装置に追加的に記憶するステップとを実行するだけの簡易な処理によって行うことができる。
【０００８】
なお、このような前記音声認識装置における音声認識は、たとえば、前記記憶装置に記憶している音声認識辞書のヨミ辞書を用いて、入力する音声が表すヨミを識別し、識別したヨミと共にヨミ辞書に登録されている識別情報が示す、前記記憶装置に記憶されている、いずれかの対象物情報テーブルの対象物情報を出力することにより行われるものである。
【発明の効果】
【０００９】
以上のように、本発明によれば、音声認識辞書の更新に必要となるデータのデータ量を、より削減しつつ、簡易に音声認識辞書を更新できるようになる。
【発明を実施するための最良の形態】
【００１０】
以下、本発明の実施形態を、自動車に搭載されるナビゲーションシステムにおける音声認識による地点認識への適用を例にとり説明する。
図１に、本実施形態に係る音声認識辞書更新データ作成システムの構成を示す。
図示するように、音声認識辞書更新データ作成システムは、更新データ作成装置１と記録装置２とから構成される。
そして、更新データ作成装置１は、ヨミ辞書と１または複数のキーデータとよりなる音声認識辞書の更新データの作成を行う装置である。
そして、更新データ作成装置１は、今回｛第ｎ回目｝の更新データ作成を次のように行う。
すなわち、前回｛（ｎ-１）回目｝の更新データ作成時に音声認識辞書更新データ作成システムに入力され記録装置２に記録された音声認識元データ（ｎ-１）と、前回｛（ｎ-１）回目｝の更新データ作成時に作成し記録装置２に記録したアサインテーブル（ｎ-１）と、今回｛第ｎ回目｝、音声認識辞書更新データ作成システムに入力され記録装置２に記録された音声認識元データ（ｎ）とから、ヨミ辞書（ｎ）とキーデータ（ｎ）とアサインテーブル（ｎ）とを作成し、記録装置２に記録する。そして、記録したヨミ辞書（ｎ）とキーデータ（ｎ）とを更新データ（ｎ）とし、ナビゲーションシステムに、適当な通信媒体または記憶媒体を介して提供する。
【００１１】
また、今回｛第ｎ回目｝、記録装置２に記録された音声認識元データ（ｎ）と、アサインテーブル（ｎ）は、ｎ=ｎ+1として次回｛第ｎ回目｝の更新データの作成に、音声認識元データ（ｎ-１）とアサインテーブル（ｎ-１）として用いられることになる。
ただし、第１回目の更新データの作成は、次のように行う。
すなわち、今回｛第１回目｝、音声認識辞書更新データ作成システムに入力され記録装置２に記録された提供され記録装置２に記録された音声認識元データ（１）から、ヨミ辞書（１）とキーデータ（１）とアサインテーブル（１）とを作成し、記録装置２に記録する。そして、記録したヨミ辞書（１）とキーデータ（１）とを更新データ（１）として出力する。
【００１２】
以下、このように行う更新データ作成装置１の更新データ作成処理の詳細について説明する。
図２に、更新データ作成装置１が行う更新データ作成処理の手順を示す。
図示するように、この処理では、まず、今回（第ｎ回）の更新データ作成が第１回目の更新データ作成であるかどうかを判定し（ステップ２０２）、第１回目の更新データ作成であれば、今回｛第１回目｝、音声認識辞書更新データ作成システムに入力され記録装置２に記録された音声認識元データ（１）から、キーデータ（１）を作成する（ステップ２０４）。
【００１３】
ここで、音声認識元データは、図３ａに示すように、音声認識の対象とする全地点の各々毎に設けたエントリを有し、各エントリには、たとえば、「いわき市役所」といったような地点の名称を表す表示文字列、地点の名称の読みを表す、たとえば、「イワキシヤクショ」といったようなヨミ、地点の地点情報が登録されている。また、地点の地点情報には、たとえば、地点の座標や、地点の住所を表す住所コードが登録される。
【００１４】
次に、音声認識元データ（１）からのキーデータ（１）の作成は次のように行う。
すなわち、図３ｃに示すように、キーデータ（１）に、音声認識元データ（１）の各エントリに対応するエントリを作成し、作成したキーデータ（１）の各エントリに、対応する音声認識元データ（１）のエントリの地点情報と、対応する音声認識元データ（１）のエントリのヨミの発音を表す発音情報を登録する。
【００１５】
図２に戻り、このようにしてキーデータ（１）を作成したならば（ステップ２０４）、ヨミ辞書（１）を次のように作成する（ステップ２０６）。
すなわち、図３ｂに示すように、ヨミ辞書（１）に音声認識元データ（１）の各エントリに対応するエントリを作成し、作成したヨミ辞書（１）のエントリに、固有の識別子となる単語ＩＤと、対応する音声認識元データ（１）のエントリのヨミと、対応する音声認識元データ（１）のエントリに対応して作成したキーデータ（１）のエントリの位置を指し示すキーポインタとを登録する。
【００１６】
そして、ヨミ辞書（１）を作成したならば、作成したヨミ辞書（１）の各エントリに対応するエントリを有するアサインテーブル（１）を作成し、図３ｄに示すように、アサインテーブル（１）の各エントリに、対応するヨミ辞書（１）のエントリに登録されているヨミとキーポインタを登録する（ステップ２０８）。
【００１７】
そして、第１回目の更新データ作成処理を終了する。
一方、ステップ２０２において、今回（第ｎ回）の更新データ作成が第１回目の更新データ作成でないと判定された場合には、まず、今回｛第ｎ回目｝、音声認識辞書更新データ作成システムに入力され記録装置２に記録された音声認識元データ（ｎ）と、前回｛第（ｎ-１）回目｝、音声認識辞書更新データ作成システムに入力され記録装置２に記録された音声認識元データ（ｎ-１）との差分データを作成する（ステップ２１０）。
【００１８】
ここで、音声認識元データ（ｎ）は、音声認識元データ（ｎ-１）の作成後の音声認識の対象とする地点の変更や、音声認識元データ（ｎ-１）の作成後に生じた、地点の名称や地点情報の変更が反映されたものとなっており、音声認識元データ（ｎ）は、音声認識元データ（ｎ-１）のエントリのうちの、対応する地点の名称の表示文字列やヨミや地点情報の変更が無かったエントリのみをそのまま含む。すなわち、音声認識元データ（ｎ）には、音声認識元データ（ｎ-１）のエントリのうちの、音声認識元データ（ｎ-１）の作成後に、対応する地点の名称の表示文字列やヨミや地点情報の変更があったエントリや、音声認識元データ（ｎ-１）の作成後に、対応する地点が存在しなくなったエントリ（たとえば、閉店した店舗のエントリ等）や、音声認識元データ（ｎ-１）の作成後に、音声認識の対象から除外した地点についてのエントリは含まれない。
【００１９】
また、音声認識元データ（ｎ）は、音声認識元データ（ｎ-１）の作成後に、地点の名称の表示文字列やヨミや地点情報の変更があった地点についての変更後の地点の名称の表示文字列やヨミや地点情報を登録したエントリや、音声認識元データ（ｎ-１）の作成後に、新たに音声認識の対象に加えた地点についてのエントリが新たに追加されたものとなっている。
【００２０】
そして、ステップ２１０では、音声認識元データ（ｎ）から、音声認識元データ（ｎ）に含まれ、音声認識元データ（ｎ-１）に含まれない（音声認識元データ（ｎ）で追加された）エントリを抽出して差分データとする。
すなわち、たとえば、図４ａに示すように音声認識元データ（ｎ-１）がａ１１、ａ１２、ａ１３、ａ１４の表示文字列が登録されたエントリを有し、図４ｂに示すように音声認識元データ（ｎ）がａ１１、ａ１３、ａ２１、ａ２２の表示文字列が登録されたエントリを有する場合には、音声認識元データ（ｎ）に含まれ、音声認識元データ（ｎ-１）に含まれない、音声認識元データ（ｎ）のａ２１、ａ２２の表示文字列が登録されたエントリを抽出して図４ｃに示すように差分データとする。
【００２１】
図２に戻り、ステップ２１０で差分データを作成したならば、次に、差分データよりキーデータ（ｎ）を作成する（ステップ２１２）。
ここで、ステップ２１２におけるキーデータ（ｎ）の作成は、図４ｄに示すように、キーデータ（ｎ）に、差分データの各エントリに対応するエントリを作成し、作成したキーデータ（ｎ）の各エントリに、対応する差分データのエントリの地点情報と、対応する差分データのエントリのヨミの発音を表す発音情報を登録することにより行う。
【００２２】
図２に戻り、このようにしてキーデータ（ｎ）を作成したならば（ステップ２１２）、ヨミ辞書（ｎ）を次のように作成する（ステップ２１４）。
すなわち、図４ｅに示すように、ヨミ辞書（ｎ）に音声認識元データ（ｎ）の各エントリに対応するエントリを作成し、作成したヨミ辞書（ｎ）のエントリに、固有の識別子となる単語ＩＤと、対応する音声認識元データ（ｎ）のエントリのヨミとを登録する。
そして、ヨミ辞書（ｎ）の各エントリについて、次のようにしてキーポインタを登録する。すなわち、ヨミ辞書（ｎ）の当該エントリに対応する音声認識元データ（ｎ）のエントリが差分データに抽出されなかったエントリであれば、ヨミ辞書（ｎ）の当該エントリに登録されているヨミと一致するヨミが登録されているアサインテーブル（ｎ-１）のエントリに登録されているキーポインタを、ヨミ辞書（ｎ）の当該エントリにキーポインタとして登録する。
【００２３】
一方、ヨミ辞書（ｎ）の当該エントリに対応する音声認識元データ（ｎ）のエントリが差分データに抽出されたエントリであれば、対応する音声認識元データ（ｎ）のエントリに対応する差分データのエントリに対応して作成したキーデータ（ｎ）のエントリの位置を指し示すキーポインタとを登録する。
【００２４】
この結果、たとえば、図４ｂに示す音声認識元データ（ｎ）から、ｂ１１、ｂ１３、ｂ２１、ｂ２２のヨミが登録されたエントリを有するヨミ辞書（ｎ）が作成された場合に、図４ｆに示すように、アサインテーブル（ｎ-１）が、ｂ１１、ｂ１２、ｂ１３、ｂ１４のヨミが登録されたエントリを有し、図４ｃに示すように、差分データがｂ２１、ｂ２２のヨミが登録されたエントリを有するときには、図４ｅに示すように、ヨミ辞書（ｎ）のｂ１１、ｂ１３のヨミが登録されたエントリには、アサインテーブル（ｎ-１）のｂ１１、ｂ１３のヨミが登録されたエントリに登録されているキーポインタｐ１１、ｐ１３が登録される。
【００２５】
ここで、このキーポインタｐ１１、ｐ１３は、過去のいずれの回｛第（ｎ-ｘ）回｝において作成した、ｂ１１、ｂ１３のヨミを有する地点の地点情報と発音情報を登録したエントリを有するキーデータ（ｎ-ｘ）の、ｂ１１、ｂ１３のヨミを有する地点の地点情報と発音情報を登録したエントリの位置を指し示すものとなる。
【００２６】
また、ヨミ辞書（ｎ）のｂ２１、ｂ２２のヨミが登録されたエントリには、音声認識元データ（ｎ）のｂ２１、ｂ２２のヨミが登録されたエントリに対応する差分データのエントリに対応して作成したキーデータ（ｎ）のエントリの位置を指し示すキーポインタが登録される。
【００２７】
図２に戻り、このようにして、ヨミ辞書（ｎ）を作成したならば、作成したヨミ辞書（ｎ）の各エントリに対応するエントリを有するアサインテーブル（ｎ）を作成し、図４ｇに示すように、アサインテーブル（ｎ）の各エントリに、対応するヨミ辞書（ｎ）のエントリに登録されているヨミとキーポインタを登録する。
【００２８】
そして、第ｎ回目の更新データ作成処理を終了する。
以上、更新データ作成装置１が行う更新データ作成処理について説明した。
このように本実施形態によれば、音声認識辞書の更新に用いる更新データには、キーデータとして、今回新たに音声認識の対象に加えたヨミに対応する地点の地点情報と発音情報のみを登録したキーデータを含めれば良い。ここで、ヨミ辞書に比べキーデータは、一つの地点あたりのデータ量が大きいので、このようにすることにより、効果的に更新データのデータ量を小さく抑えることができる。
【００２９】
次に、このようにして作成された更新データを用いた、ナビゲーションシステムにおける音声認識による地点認識動作について説明する。
図５に、本実施形態に係るナビゲーションシステムの構成を示す。
図示するように、ナビゲーションシステムは、音声認識辞書更新処理部１１、音声認識辞書記憶部１２、マイク１３、音声認識部１４、音声生成部１５、スピーカ１６、ナビゲーション装置１７、表示装置１８、入力装置１９、住所データベース２０、地図データベース２１を備えている。
【００３０】
このような構成において、音声認識辞書更新処理部１１は、図１に示した音声認識辞書更新データ作成システムから、適当な通信媒体や記憶媒体を介して更新データを提供されると、更新データに含まれるヨミ辞書を音声認識辞書記憶部１２に記録する。この際、音声認識辞書記憶部１２に、既にヨミ辞書が記憶されている場合には、これを更新データに含まれるヨミ辞書で置き換える。
【００３１】
また、音声認識辞書更新処理部１１は、更新データを提供されると、更新データに含まれるキーデータを、音声認識辞書記憶部１２に記録する。この際、音声認識辞書記憶部１２に、既にキーデータが記憶されている場合には、この既に記憶されているキーデータをそのまま維持し、更新データに含まれるキーデータを追加的に記憶する。
【００３２】
この結果、提供された第ｎ回目の更新データのヨミ辞書（ｎ）とキーデータ（ｎ）を音声認識辞書記憶部１２に記憶した時点で、音声認識辞書記憶部１２には、図５に示すように、一つのヨミ辞書（ｎ）と、キーデータ（１）からキーデータ（ｎ）のｎ個のキーデータとが音声認識辞書として記憶されていることになる。
【００３３】
以上のように、本実施形態によれば、更新データを用いた音声認識辞書の更新は、記憶装置に記憶されているヨミ辞書の更新データに含まれるヨミ辞書への置き換えと、更新データに含まれるキーデータの記憶装置への追加記憶のみの簡便な処理で実現される。
なお、音声認識辞書更新処理部１１は、音声認識辞書記憶部１２に既にヨミ辞書が記憶されている場合において、提供された更新データが、音声認識辞書記憶部１２に既に記憶されているヨミ辞書より新しいヨミ辞書を含むものでない場合には、提供された更新データを破棄し、以上の更新データに含まれるヨミ辞書やキーデータの音声認識辞書記憶部１２への記憶は行わず、音声認識辞書記憶部１２のヨミ辞書やキーデータの記憶状態をそのまま維持するようにする。
【００３４】
次に、ナビゲーション装置１７は、入力装置１９を介してユーザから地名の音声入力を要求されると音声認識部１４に地名認識処理の実行を要求する。
地名認識処理の実行を要求された音声認識部１４は、ヨミ辞書（ｎ）を参照して、マイク１３から入力する音声に最もよくマッチするヨミが登録されたヨミ辞書（ｎ）のエントリを特定し、特定したヨミ辞書（ｎ）のエントリに登録されているキーポインタを読み出す。そして、読み出したキーポインタが位置を示す、キーデータ（１）からキーデータ（ｎ）のうちのいずれかのキーデータのエントリに登録されている地点情報と発音情報を読み出し、読み出した発音情報が示す音声の生成と、スピーカ１６への出力を音声生成部１５に行わせる。この結果、スピーカ１６からは、音声認識部１４が認識したマイク１３から入力する音声に最もよくマッチするヨミを読み上げた音声が出力（トークバック）される。
【００３５】
そして、その後、ユーザから、認識内容の承認が入力装置１９を介して入力されると、ナビゲーション装置１７は当該承認を音声認識部１４に通知し、当該通知を受けた音声認識部１４は、先に読み出した地点情報をナビゲーション装置１７に出力する。
地点情報を受け取ったナビゲーション装置１７は、住所データベース２０や地図データベース２１を参照しつつ、受け取った地点情報が示す地点の座標や住所を識別し、識別した座標や住所を、ユーザ指定地点の座標や住所として、当該指定地点を地図上で表した画像を表示装置１８に表示したり、当該指定地点を目的地に設定したりする処理などを行う。
【００３６】
以上、本発明の実施形態について説明した。
なお、以上の実施形態では、音声認識元データやキーデータに含める地点情報として、地点の座標や、地点の住所を表す住所コードを登録したが、地点情報としては、地点の座標の他に、ナビゲーション装置１７が当該地点を地図上で表すためのマークの識別子や、当該マークの配置位置の座標などを含むものとしてもよい。この場合、ナビゲーション装置１７は、受け取った地点情報が示す地点の座標やマークを、ユーザ指定地点の座標や当該指定地点を表すマークとして、当該指定地点を目的地に設定したり、音声認識部１４から受け取った地点情報によって特定されるマークを、表示装置１８に表示している地図上で強調表示するなどの処理を行う。
【００３７】
また、以上の実施形態において用いたアサインテーブル（ｉ）の情報は全てヨミ辞書（ｉ）に含まれているので、アサインテーブル（ｉ）を作成せずに、直接ヨミ辞書（ｉ）を用いて更新データを作成するようにしてもよい。すなわち、以上の更新データ作成処理において、ステップ２０８、２１６のアサインテーブル（ｎ）の作成は行わないようにすると共に、ステップ２１４において、アサインテーブル（ｎ-１）に代えてヨミ辞書（ｎ-１）を用いてヨミ辞書（ｎ）の作成を行うようにしてもよい。
【図面の簡単な説明】
【００３８】
【図１】本発明の実施形態に係る音声認識辞書更新データ作成システムの構成を示すブロック図である。
【図２】本発明の実施形態に係る更新データ作成処理を示すフローチャートである。
【図３】本発明の実施形態に係る更新データ作成処理の処理例を示す図である。
【図４】本発明の実施形態に係る更新データ作成処理の処理例を示す図である。
【図５】本発明の実施形態に係るナビゲーションシステムの構成を示すブロック図である。
【符号の説明】
【００３９】
１…更新データ作成装置、２…記録装置、１１…音声認識辞書更新処理部、１２…音声認識辞書記憶部、１３…マイク、１４…音声認識部、１５…音声生成部、１６…スピーカ、１７…ナビゲーション装置、１８…表示装置、１９…入力装置、２０…住所データベース、２１…地図データベース。
【図１】
0005216337.tif 000002
【図２】
0005216337.tif 000003
【図３】
0005216337.tif 000004
【図４】
0005216337.tif 000005
【図５】
0005216337.tif 000006